【手続補正書】
【提出日】平成22年9月9日(2010.9.9)
【手続補正１】
【補正対象書類名】特許請求の範囲
【補正対象項目名】全文
【補正方法】変更
【補正の内容】
【特許請求の範囲】
【請求項１】
テレビジョン受像機に接続され、予め定められた条件に基づいて生成される推薦番組情報に基づいて番組の録画予約を設定し、前記録画予約された番組のデータを記録媒体に記録して録画する記録装置であって、
前記推薦番組情報に、放送時間が重複する番組が複数存在する場合、前記複数の番組のそれぞれに異なる優先順位が設定されて前記優先順位の高い番組の録画予約が設定され、
前記放送時間が重複する時間帯において前記テレビジョン受像機で視聴されている番組を特定する特定手段と、
前記特定手段の特定結果に基づいて、前記優先順位が高い番組の録画を実行するか、または前記優先順位が低い番組の録画を実行するかを制御する録画制御手段とを備え、
前記録画制御手段は、
前記優先順位の低い番組が、前記優先順位の高い番組より時間的に前に放送開始される場合、
前記優先順位の低い番組の放送開始時刻に、前記優先順位の低い番組の録画を開始し、
前記優先順位の高い番組の放送開始時刻に、前記特定手段により特定された番組が前記優先順位の高い番組であるか否かを判定し、
前記特定された番組が前記優先順位の高い番組である場合、前記優先順位の高い番組の録画予約を消去する
記録装置。
【請求項２】
前記録画制御手段は、前記特定された番組が前記優先順位の高い番組である場合、さらに、前記優先順位の低い番組の録画を推薦するメッセージを前記テレビジョン受像機に表示させ、
前記優先順位の低い番組の録画が指令された場合、前記優先順位の高い番組の録画予約を消去する
請求項１に記載の記録装置。
【請求項３】
前記録画制御手段は、
前記優先順位の低い番組が、前記優先順位の高い番組より時間的に後に放送開始される場合、
前記優先順位の高い番組の放送開始時刻に、前記優先順位の高い番組の録画を開始し、
前記優先順位の低い番組の放送開始時刻に、前記特定手段により特定された番組が前記優先順位の高い番組であるか否かを判定し、
前記特定された番組が前記優先順位の高い番組である場合、前記優先順位の低い番組の録画を開始する
請求項１に記載の記録装置。
【請求項４】
前記録画制御手段は、前記特定された番組が前記優先順位の高い番組である場合、さらに、前記優先順位の低い番組の録画を推薦するメッセージを前記テレビジョン受像機に表示させ、
前記優先順位の低い番組の録画が指令された場合、前記優先順位の低い番組の録画予約を開始するとともに、前記記録媒体に記録された前記優先順位の高い番組のデータを削除する
請求項３に記載の記録装置。
【請求項５】
テレビジョン受像機に接続され、予め定められた条件に基づいて生成される推薦番組情報に基づいて番組の録画予約を設定し、前記録画予約された番組のデータを記録媒体に記録して録画する記録装置の記録方法であって、
前記推薦番組情報に、放送時間が重複する番組が複数存在する場合、前記複数の番組のそれぞれに異なる優先順位が設定されて前記優先順位の高い番組の録画予約が設定され、
前記放送時間が重複する時間帯において前記テレビジョン受像機で視聴されている番組を特定し、
前記特定結果に基づいて、前記優先順位が高い番組の録画を実行するか、または前記優先順位が低い番組の録画を実行するかを制御し、
前記優先順位の低い番組が、前記優先順位の高い番組より時間的に前に放送開始される場合、
前記優先順位の低い番組の放送開始時刻に、前記優先順位の低い番組の録画を開始し、
前記優先順位の高い番組の放送開始時刻に、前記特定手段により特定された番組が前記優先順位の高い番組であるか否かを判定し、
前記特定された番組が前記優先順位の高い番組である場合、前記優先順位の高い番組の録画予約を消去するステップ
を含む記録方法。
【請求項６】
コンピュータを、
テレビジョン受像機に接続され、予め定められた条件に基づいて生成される推薦番組情報に基づいて番組の録画予約を設定し、前記録画予約された番組のデータを記録媒体に記録して録画する記録装置であって、
前記推薦番組情報に、放送時間が重複する番組が複数存在する場合、前記複数の番組のそれぞれに異なる優先順位が設定されて前記優先順位の高い番組の録画予約が設定され、
前記放送時間が重複する時間帯において前記テレビジョン受像機で視聴されている番組を特定する特定手段と、
前記特定手段の特定結果に基づいて、前記優先順位が高い番組の録画を実行するか、または前記優先順位が低い番組の録画を実行するかを制御する録画制御手段とを備え、
前記録画制御手段は、
前記優先順位の低い番組が、前記優先順位の高い番組より時間的に前に放送開始される場合、
前記優先順位の低い番組の放送開始時刻に、前記優先順位の低い番組の録画を開始し、
前記優先順位の高い番組の放送開始時刻に、前記特定手段により特定された番組が前記優先順位の高い番組であるか否かを判定し、
前記特定された番組が前記優先順位の高い番組である場合、前記優先順位の高い番組の録画予約を消去する記録装置として機能させる
プログラム。
【請求項７】
請求項６に記載のプログラムが記録されている記録媒体。
【手続補正２】
【補正対象書類名】明細書
【補正対象項目名】００１０
【補正方法】変更
【補正の内容】
【００１０】
本発明の一側面は、テレビジョン受像機に接続され、予め定められた条件に基づいて生成される推薦番組情報に基づいて番組の録画予約を設定し、前記録画予約された番組のデータを記録媒体に記録して録画する記録装置であって、前記推薦番組情報に、放送時間が重複する番組が複数存在する場合、前記複数の番組のそれぞれに異なる優先順位が設定されて前記優先順位の高い番組の録画予約が設定され、前記放送時間が重複する時間帯において前記テレビジョン受像機で視聴されている番組を特定する特定手段と、前記特定手段の特定結果に基づいて、前記優先順位が高い番組の録画を実行するか、または前記優先順位が低い番組の録画を実行するかを制御する録画制御手段とを備え、前記録画制御手段は、前記優先順位の低い番組が、前記優先順位の高い番組より時間的に前に放送開始される場合、前記優先順位の低い番組の放送開始時刻に、前記優先順位の低い番組の録画を開始し、前記優先順位の高い番組の放送開始時刻に、前記特定手段により特定された番組が前記優先順位の高い番組であるか否かを判定し、前記特定された番組が前記優先順位の高い番組である場合、前記優先順位の高い番組の録画予約を消去する記録装置である。
【手続補正３】
【補正対象書類名】明細書
【補正対象項目名】００１１
【補正方法】削除
【補正の内容】
【手続補正４】
【補正対象書類名】明細書
【補正対象項目名】００１５
【補正方法】変更
【補正の内容】
【００１５】
本発明の一側面は、テレビジョン受像機に接続され、予め定められた条件に基づいて生成される推薦番組情報に基づいて番組の録画予約を設定し、前記録画予約された番組のデータを記録媒体に記録して録画する記録装置の記録方法であって、前記推薦番組情報に、放送時間が重複する番組が複数存在する場合、前記複数の番組のそれぞれに異なる優先順位が設定されて前記優先順位の高い番組の録画予約が設定され、前記放送時間が重複する時間帯において前記テレビジョン受像機で視聴されている番組を特定し、前記特定結果に基づいて、前記優先順位が高い番組の録画を実行するか、または前記優先順位が低い番組の録画を実行するかを制御し、前記優先順位の低い番組が、前記優先順位の高い番組より時間的に前に放送開始される場合、前記優先順位の低い番組の放送開始時刻に、前記優先順位の低い番組の録画を開始し、前記優先順位の高い番組の放送開始時刻に、前記特定手段により特定された番組が前記優先順位の高い番組であるか否かを判定し、前記特定された番組が前記優先順位の高い番組である場合、前記優先順位の高い番組の録画予約を消去するステップを含む記録方法である。
【手続補正５】
【補正対象書類名】明細書
【補正対象項目名】００１６
【補正方法】変更
【補正の内容】
【００１６】
本発明の一側面は、コンピュータを、テレビジョン受像機に接続され、予め定められた条件に基づいて生成される推薦番組情報に基づいて番組の録画予約を設定し、前記録画予約された番組のデータを記録媒体に記録して録画する記録装置であって、前記推薦番組情報に、放送時間が重複する番組が複数存在する場合、前記複数の番組のそれぞれに異なる優先順位が設定されて前記優先順位の高い番組の録画予約が設定され、前記放送時間が重複する時間帯において前記テレビジョン受像機で視聴されている番組を特定する特定手段と、前記特定手段の特定結果に基づいて、前記優先順位が高い番組の録画を実行するか、または前記優先順位が低い番組の録画を実行するかを制御する録画制御手段とを備え、前記録画制御手段は、前記優先順位の低い番組が、前記優先順位の高い番組より時間的に前に放送開始される場合、前記優先順位の低い番組の放送開始時刻に、前記優先順位の低い番組の録画を開始し、前記優先順位の高い番組の放送開始時刻に、前記特定手段により特定された番組が前記優先順位の高い番組であるか否かを判定し、前記特定された番組が前記優先順位の高い番組である場合、前記優先順位の高い番組の録画予約を消去する記録装置として機能させるプログラムである。
【手続補正６】
【補正対象書類名】明細書
【補正対象項目名】００１７
【補正方法】変更
【補正の内容】
【００１７】
本発明の一側面においては、推薦番組情報に、放送時間が重複する番組が複数存在する場合、前記複数の番組のそれぞれに異なる優先順位が設定されて前記優先順位の高い番組の録画予約が設定され、前記放送時間が重複する時間帯において前記テレビジョン受像機で視聴されている番組が特定され、前記特定結果に基づいて、前記優先順位が高い番組の録画を実行するか、または前記優先順位が低い番組の録画を実行するかが制御される。また、前記優先順位の低い番組が、前記優先順位の高い番組より時間的に前に放送開始される場合、前記優先順位の低い番組の放送開始時刻に、前記優先順位の低い番組の録画が開始され、前記優先順位の高い番組の放送開始時刻に、前記特定手段により特定された番組が前記優先順位の高い番組であるか否かが判定され、前記特定された番組が前記優先順位の高い番組である場合、前記優先順位の高い番組の録画予約が消去される。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】